(57)【特許請求の範囲】
【請求項１】
走行風と対面する整流面を有する整流体を帽体の表面に備え、前記整流面の対面角度を調節可能にしたヘルメットにおいて、
前記整流体は、走行方向と交差する方向で対向する一対の支持体を介して、前記整流面が走行風の気流に対面する方向及び該対面する方向と反対の方向に角度を変えるように回動可能に支持されると共に、走行風の風上側及び風下側をスライド方向とするようにスライド可能に支持されてなり、
前記支持体は、前記整流体を回動可能且つスライド可能に支持する支承部材と、
前記整流体に対して前記風下側への付勢力を作用させるスライド用付勢手段と、
前記整流面の対面角度を多段状に調整すると共に、該対面角度を保持するラチェット機構とを備え、
前記ラチェット機構は、前記整流体が前記スライド方向の風下側の端にある場合に、少なくとも、該整流体を回動させる力に対して前記整流面の対面角度保持状態を維持し、前記整流体を前記スライド方向の風上側にスライドさせることにより前記対面角度保持状態が解除されることを特徴とするヘルメット。
【請求項２】
前記支持体には、前記整流体の側端面に対して前記走行方向と交差する方向で対向する嵌脱可能な嵌合突起を一体に有した嵌合部材が備えられ、
該嵌合部材は、前記支承部材に対し、前記整流体の回動に伴って回動可能に支承されると共に前記整流体のスライドに伴ってスライド可能に支承されていることを特徴とする請求項１に記載のヘルメット。
【請求項３】
前記ラチェット機構が、前記嵌合部材と前記支承部材とに亘って設けられていることを特徴とする請求項１又は２に記載のヘルメット。
【請求項４】
前記整流体が走行方向に並列させた２本の通気カバー間に跨るように配設されていることを特徴とする請求項１乃至３いずれか１項に記載のヘルメット。
【請求項５】
前記整流体が走行方向に並列させた２本の通気カバー間に跨るように配設され、且つ前記支持体が通気カバー内に配設されてなり、
前記整流体の側端部と対面する前記通気カバーの側端部に、前記嵌合突起が貫通する貫通口が形成され、該貫通口から貫通した嵌合突起が前記整流体の側端部に嵌合していることを特徴とする請求項１乃至３いずれか１項に記載のヘルメット。
【発明の詳細な説明】
【技術分野】
【０００１】
本発明は、オートバイ、四輪自動車等各種移動車両、モーターボート、自転車等の船舶又は移動器具に乗る際に頭部及び顔面を保護するために被るヘルメットに関し、詳しくは、ヘルメット内の熱気を換気するための換気構造と、走行風をヘルメット表面から剥離するための整流構造を備えたヘルメットに関する。
【背景技術】
【０００２】
本発明に関連する先行技術文献情報として、たとえば、下記の特許文献１が有る。
【特許文献１】特開２００６−２９９４５６号公報
【発明の開示】
【発明が解決しようとする課題】
【０００３】
前記特許文献１に記載の発明は、ヘルメット表面に走行風をヘルメット表面から剥離する整流体を、ヘルメット着用者が該着用者の固有の各運転姿勢や移動器具の速度に対応して、走行風と対面する整流面の対面角度を調節可能に備えられているヘルメットが開示されている。
すなわち、前記特許文献１に記載の発明は、ヘルメット着用者固有の各運転姿勢や移動器具の速度等の違いにかかわらず、目的の走行風の剥離を行って換気作用及び整流作用の向上に有効なものであるが、本出願人は、更に、整流構造における整流体の角度保持の確実性を向上させながら、角度変更操作の容易性を確保するということについて、鋭意研究した結果、本発明に至ったものである。
【０００４】
本発明は、ヘルメット着用者固有の各運転姿勢や移動器具の速度等の違いにかかわらず、目的の走行風の剥離機能を得た上で、整流構造における整流体の角度保持の確実性を向上させながら、角度変更操作の容易性を確保することを課題とし、この課題を解決したヘルメットの提供を目的とする。
【課題を解決するための手段】
【０００５】
前記目的を達成するために本発明が採用した技術的手段は、走行風と対面する整流面を有する整流体を帽体の表面に備え、前記整流面の対面角度を調節可能にしたヘルメットにおいて、前記整流体は、走行方向と交差する方向で対向する一対の支持体を介して、前記整流面が走行風の気流に対面する方向及び該対面する方向と反対の方向に角度を変えるように回動可能に支持されると共に、走行風の風上側及び風下側をスライド方向とするようにスライド可能に支持されてなり、前記支持体は、前記整流体を回動可能且つスライド可能に支持する支承部材と、前記整流体に対して前記風下側への付勢力を作用させるスライド用付勢手段と、前記整流面の対面角度を多段状に調整すると共に、該対面角度を保持するラチェット機構とを備え、前記ラチェット機構は、前記整流体が前記スライド方向の風下側の端にある場合に、少なくとも、該整流体を回動させる力に対して前記整流面の対面角度保持状態を維持し、前記整流体を前記スライド方向の風上側にスライドさせることにより前記対面角度保持状態が解除されることを特徴とする。
【０００６】
又、前記支持体には、前記整流体の側端面に対して前記走行方向と交差する方向で対向する嵌脱可能な嵌合突起を一体に有した嵌合部材が備えられ、該嵌合部材は、前記支承部材に対し、前記整流体の回動に伴って回動可能に支承されると共に前記整流体のスライドに伴ってスライド可能に支承されていることを特徴とする。
【０００７】
又、前記ラチェット機構が、嵌合部材と支承部材とに亘って設けられていることを特徴とするヘルメットにしたことである。
【０００８】
又、前記整流体が走行方向に並列させた２本の通気カバー間に跨るように配設されていることを特徴とするヘルメットにしたことである。
【０００９】
又、前記整流体が走行方向に並列させた２本の通気カバー間に跨るように配設され、且つ前記支持体が通気カバー内に配設されてなり、前記整流体の側端部と対面する通気カバーの側端部に、前記嵌合突起が貫通する貫通口が形成され、該貫通口から貫通した嵌合突起が整流体の側端部に嵌合していることを特徴とするヘルメットにしたことである。
すなわち、前記整流体を支持する支持部材（ラチェット機構等を含む）や整流体における整流面の対面角度を調節する調節機構等が通気カバーの外側において露出しないように構成されているため、ヘルメットの良好なデザインの確保ができ、走行風が前記支持部材や調節機構等に作用しないので風切音の抑制という点で有効である。
【発明の効果】
【００１０】
本発明は、前記構成により下記の優れた効果が期待できる。
ヘルメット着用者固有の各運転姿勢や移動器具の速度等の違いにかかわらず、目的の走行風の剥離機能を得た上で、整流構造における整流体の角度保持の確実性が向上し、しかも、整流体の角度変更操作の容易性が確保されたヘルメットを提供できる。
【発明を実施するための最良の形態】
【００１１】
以下、本発明のヘルメットを実施するための最良の形態を図面に基づいて説明する。
図１〜図５は、本発明に係るヘルメットの一例を示す。
尚、本形態では、走行中に生じる走行風の風上側を前方と、風下側を後方と夫々いう。
又、本形態では、前記走行風と交差する方向を左右方向という。
【００１２】
本形態で例示するヘルメットＡは、繊維強化樹脂材（ＧＦＲＰ，ＣＦＲＰ等）で所定の形状に成型された帽体１の内側に、発泡スチロール材、もしくは、これと同等の衝撃吸収性能を有する素材を用いて所定の形状に成型された衝撃吸収ライナーＡ１と、該衝撃吸収ライナーＡ１の内側に配設されるウレタン材等でなる頭部内装部材(図示せず)、及び頬パッド(図示せず)が内装され、更に、帽体１には、正面開口部（図示せず）を開閉するためのシールド２と、ヘルメットＡ内部の熱気を排気する左右４個の排気孔２Ｌ，２Ｒ，２Ｌ’，２Ｒ’が備えられてなる周知の構成のものである。
【００１３】
尚、本形態で例示するヘルメットは、フルフェース型のヘルメットであるが、本発明では、例示するフルフェース型のヘルメットに限定するものではなくジェット型のヘルメットやハーフ型のヘルメットにおいても適用できる。
【００１４】
本形態のヘルメットＡには、前記排気孔２Ｌ，２Ｒ，２Ｌ’，２Ｒ’を覆い隠す通気カバー３Ｌ，３Ｒが帽体１表面に装着され、当該通気カバー３Ｌ，３Ｒ間に亘って、ヘルメットに作用する走行風と正対して該走行風を整流する整流面４１を有する整流体４が、走行風に対する前記整流面４１の対面角度を調節可能（図５参照）に装備されている。
本形態の通気カバー３Ｌ，３Ｒは、変形可能、且つ該変形から復帰する弾性を有する合成樹脂材合成樹脂材を用いて、帽体１の前方から後方へ走行風を案内するように形成された略トンネル状のものであり、夫々、前端を吸気口３１とし、後端を排気口３２にしていて、走行風が吸気口３１から入り排気口３２から抜ける際に生じる負圧によって、前記通気カバー３Ｌ，３Ｒ内に位置する前記排気孔２Ｌ，２Ｒ，２Ｌ’，２Ｒ’からヘルメットＡ内の熱気を吸い上げて排気するようにしている。
【００１５】
以下、本形態のヘルメットＡにおける前記整流体４の対面角度調節構造を図２乃至図５に基づいて説明する。
本形態の対面角度調節構造は、帽体１に固定された一対の支持体５Ｌ，５Ｒが整流体４を支持することで構成されるものである。
尚、支持体５Ｌ，５Ｒは、同じ構成部材から構成されたものであるので、図３乃至図５では、支持体５Ｌ側のみを図示して説明すると共に、支持体５Ｌに関連する各構成部材には、アルファベットの「Ｌ」付き符号付し、支持体５Ｒの各構成部材は、支持体５Ｌの各構成部材に対応する部位にアルファベットの「Ｒ」付きの符号を付して説明する。
【００１６】
前記支持体５Ｌ，５Ｒは、前記通気カバー３Ｌ，３Ｒ内に内蔵されており、通気カバー３Ｌ，３Ｒの互いに向かい合う側端部３０Ｌ，３０Ｒに開口された貫通口３１Ｌ，３１Ｒから突出する後述の嵌合突起６１Ｌ，６１Ｒにより、整流体４の左右の側端部４２Ｌ，４２Ｒを支持するようにしている。
整流体４の側端部４２Ｌ，４２Ｒには、前記嵌合突起６１Ｌ，６１Ｒが嵌脱可能に嵌合する嵌合凹部４３Ｌ，４３Ｒが形成されており、該嵌合凹部４３Ｌ，４３Ｒに前記嵌合突起６１Ｌ，６１Ｒが嵌合することにより、整流体４を通気カバー３Ｌ，３Ｒ間で支持するようにしている。
【００１７】
本形態の支持体５Ｌ，５Ｒの構成を具体的に説明すると、支持体５Ｌ，５Ｒは、前述の嵌合突起６１Ｌ，６１Ｒを一体に有した嵌合部材６Ｌ，６Ｒと、該嵌合部材６Ｌ，６Ｒを支承する支承部材７Ｌ，７Ｒの２部材で構成されている。
又、前記嵌合部材６Ｌ，６Ｒと前記支承部材７Ｌ，７Ｒとに亘って、嵌合部材６Ｌ，６Ｒを前記整流体４における整流面４１の対面角度の調節方向と同方向に回動可能に支持すると共に、前後方向にスライド可能に支持する支持部８Ｌ，８Ｒと、前記嵌合部材６Ｌ，６Ｒの回動位置を保持し、該嵌合部材６Ｌ，６Ｒの前進スライドにより回動位置の保持が解除されるラチェット機構９Ｌ，９Ｒと、が備えられている。
【００１８】
ここで、整流体４における整流面４１の対面角度の調節方向とは、整流面４１が走行風の気流に対面する方向及び該対面する方向と反対の方向に角度を変える方向であり、該整流体４は前記両方向への角度調整ができるように回動可能に支持される。以下、前記走行風の気流に対面する方向を前方、これと反対方向を後方と夫々いう。符号１０Ｌ，１０Ｒは、嵌合部材６Ｌ，６Ｒの前進側のスライドに対して後退側に付勢力を与えて、前記ラチェット機構９Ｌ，９Ｒに対して嵌合部材６Ｌ，６Ｒの回動位置を保持させるスライド用付勢手段であり、該スライド用付勢手段１０Ｌ，１０Ｒは、前記支承部材７Ｌ，７Ｒに備えられている。
【００１９】
前記嵌合部材６Ｌ，６Ｒは、図４、及び図５において、前端を回動軌道と同心とする円弧形状とし、前記整流体４側の面に、前記嵌合突起６１Ｌ，６１Ｒが突設され、該嵌合突起６１Ｌ，６１Ｒの逆側の面に、前記支持部８Ｌ，８Ｒの一方側を構成する回動支持凹部８３Ｌ，８３Ｒと、回動案内凹部８２Ｌ，８２Ｒと、が凹設されている。
前記回動支持凹部８３Ｌ，８３Ｒは、後述する支持部８Ｌ，８Ｒの他方側を構成する回動支持凸部８１Ｌ，８１Ｒが嵌合するものであり、前記嵌合部材６Ｌ，６Ｒの前側に、前後方向に長いオーバル形状として形成されている。
又、前記回動案内凹部８２Ｌ，８２Ｒは、後述する支持部８Ｌ，８Ｒの他方側を構成する上下動回動凸部８４Ｌ，８４Ｒが嵌合するものであり、嵌合部材６Ｌ，６Ｒの後側に、その上端縁から下側に向けて上方を開放し、前後方向の長さを前記回動支持凹部８３Ｌ，８３Ｒの前後方向の長さとほぼ同長とした形状として形成されている。
又、前記嵌合部材６Ｌ，６Ｒの後端部には、前記ラチェット機構９Ｌ，９Ｒの一方側を構成する凸部９１Ｌ，９１Ｒが上下方向に沿って複数形成されている。
符号８５Ｌ，８５Ｒは、前記嵌合部材６Ｌ，６Ｒの回動を案内し、該嵌合部材６Ｌ，６Ｒの回動及び前後スライド時に前記支承部材７Ｌ，７Ｒに保持するガイド板である。
【００２０】
前記支承部材７Ｌ，７Ｒは、帽体１に対して固定ビスＢにより固定するための固定部７１Ｌ，７１Ｒと、前記嵌合部材６Ｌ，６Ｒを支承する支承部７２Ｌ，７２Ｒと、を一体に備えてなる。
前記固定部７１Ｌ，７１Ｒは、帽体１の曲面に適合する曲面とする薄板状のものであり、前端側と後端側とに固定ビスＢをねじ込むようにし、上面部分の中程に前記スライド用付勢手段１０Ｌ，１０Ｒが、該スライド用付勢手段１０Ｌ，１０Ｒの後側に前記支承部７２Ｌ，７２Ｒが、後端部に前記ラチェット機構９Ｌ，９Ｒの他方側を構成する凹部９２Ｌ，９２Ｒが、一体に形成されている。
【００２１】
前記支承部７２Ｌ，７２Ｒは、前記整流体４の左右側端部４２Ｌ，４２Ｒとで、前記嵌合部材６Ｌ，６Ｒを挟持するように、前記固定部７１Ｌ，７１Ｒの縁部に立設されている。
又、前記支承部７２Ｌ，７２Ｒには、前記回動支持凹部８３Ｌ，８３Ｒと対面する部位に、前述の支持部８Ｌ，８Ｒの他方側を構成する回動支持凸部８１Ｌ，８１Ｒが突設され、前記回動案内凹部８２Ｌ，８２Ｒと対面する部位に、前述の支持部８Ｌ，８Ｒの他方側を構成する回動案内凸部８４Ｌ，８４Ｒが突設されている。
【００２２】
前記回動支持凸部８１Ｌ，８１Ｒは、前記嵌合部材６Ｌ，６Ｒの回動中心となるものであり、回動支持凹部８３Ｌ，８３Ｒの上下幅に適合する径の略円筒状に形成されている。
すなわち、回動支持凸部８１Ｌ，８１Ｒの前記回動支持凹部８３Ｌ，８３Ｒに対する嵌合時においては、回動支持凹部８３Ｌ，８３Ｒ内に、前記嵌合部材６Ｌ，６Ｒの前後スライド用のスペースＳ１が確保される。
前記回動案内凸部８４Ｌ，８４Ｒは、前記回動案内凹部８２Ｌ，８２Ｒ内を、前記嵌合部材６Ｌ，６Ｒの前記回動中心とする回動により、該回動の軌跡（上下方向）に沿って移動するものであり、略方形板状に形成されている。
又、回動案内凸部８４Ｌ，８４Ｒは、その前後幅が回動案内凹部８２Ｌ，８２Ｒの前後幅よりも小幅にされており、該前後幅は、前記スペースＳ１の前後幅と略同幅の、嵌合部材６Ｌ，６Ｒの前後スライド用のスペースＳ２が確保される幅である。
【００２３】
ラチェット機構９Ｌ，９Ｒは、前記凸部９１Ｌ，９１Ｒが前記凹部９２Ｌ，９２Ｒに対して係合することにより、前記嵌合部材６Ｌ，６Ｒの回動位置を保持し、前記凸部９１Ｌ，９１Ｒの凹部９２Ｌ，９２Ｒに対する係合を解除することにより、前記嵌合部材６Ｌ，６Ｒを回動可能にする構造のものである。
又、前記凸部９１Ｌ，９１Ｒの前記凹部９２Ｌ，９２Ｒに対する係合位置を変更することにより、前記嵌合部材６Ｌ，６Ｒの保持位置（対面角度）を変えることができる。
又、前記凸部９１Ｌ，９１Ｒと前記凹部９２Ｌ，９２Ｒとは、その係合時において、前記嵌合部材６Ｌ，６Ｒの後方へ回動させる力に対してその係合状態を維持し、該嵌合部材６Ｌ，６Ｒの前方への回動、及び前方へのスライドに対しては、前記凸部９１Ｌ，９１Ｒの凹部９２Ｌ，９２Ｒに対する係合を解除可能な鋸刃状を呈するものである（図４、及び図５参照）。
【００２４】
このラチェット機構９Ｌ，９Ｒによれば、前記整流体４に作用する走行風は、該整流体４を後方へ回動させる方向の力として作用し、且つこの整流体４を支持した嵌合部材６Ｌ，６Ｒを後方へ回動させるように作用するが、このとき、前記凸部９１Ｌ，９１Ｒの凹部９２Ｌ，９２Ｒとの係合維持により、嵌合部材６Ｌ，６Ｒの後方への回動を規制しているため、整流体４の位置が走行風によって変更されることを防ぐごとができる。
逆に、整流体４を前方へ回動させる人為的な力を加えると、この力は、嵌合部材６Ｌ，６Ｒを前方へ回動させるように作用するが、このとき、前記凸部９１Ｌ，９１Ｒが凹部９２Ｌ，９２Ｒに対して係脱するため、整流体４を前方に回動することができる。
又、整流体４を前方へスライドさせる人為的な力を加えると、前記凸部９１Ｌ，９１Ｒの凹部９２Ｌ，９２Ｒに対する係合が解除されるため、整流体４を前後方向いずれにも回動させることができる。
【００２５】
前記スライド用付勢手段１０Ｌ，１０Ｒは、前記嵌合部材６Ｌ，６Ｒの前方に配置され、該嵌合部材６Ｌ，６Ｒの前端部に対して常時接触している板ばね状のものであり、前記嵌合部材６Ｌ，６Ｒの前方へのスライドに対して、後方へスライドさせる付勢力を与える機能を有している。
すなわち、スライド用付勢手段１０Ｌ，１０Ｒが、前記嵌合部材６Ｌ，６Ｒを後方側へ保持することにより、前記ラチェット機構９Ｌ，９Ｒの凸部９１Ｌ，９１Ｒと凹部９２Ｌ，９２Ｒとの係合状態を保持できる。
又、前記嵌合部材６Ｌ，６Ｒの前方へのスライドにより、スライド用付勢手段１０Ｌ，１０Ｒは、嵌合部材６Ｌ，６Ｒに押されて変形すると同時に、嵌合部材６Ｌ，６Ｒを後方に押し戻そうとする付勢力が生じる。
更に、前記スライド用付勢手段１０Ｌ，１０Ｒは、前記嵌合部材６Ｌ，６Ｒの前端部と接触する部位を、該前端部の円弧と適合する円弧として形成しており、この円弧が前記嵌合部材６Ｌ，６Ｒの回動案内としても機能している。
【００２６】
本形態の支承部材７Ｌ，７Ｒは、変形可能、且つ該変形から復帰する弾性を有する合成樹脂材を用いて形成されている。
このような合成樹脂材で形成した支承部材７Ｌ，７Ｒによれば、前記支承部７２Ｌ，７２Ｒに、互いに左右方向へ拡開させる力を加えることにより、支承部７２Ｌ，７２Ｒが傾き変形し、前記拡開させる力を解除することにより、支承部７２Ｌ，７２Ｒが傾き変形から元の形状に復帰して、整流体４における側端部４２Ｌ，４２Ｒの嵌合凹部４３Ｌ，４３Ｒと嵌合突起６１Ｌ，６１Ｒを嵌合状態にできる嵌合用付勢手段が構成される。
又、前記付勢力が生じる板ばね状のスライド用付勢手段１０Ｌ，１０Ｒを形成することができる。
【００２７】
すなわち、前記整流体４を、図３において右側に押し動かすと、整流体４の側端部４２Ｒが通気カバー３Ｒの側端部３０Ｒを支持体５Ｒ方向へ変形させ、該側端部３０Ｒの変形により、嵌合部材６Ｒを介して前記支承部７２Ｒが右側に押されて傾くように変形する。
このとき、整流体４の側端部４２Ｌも右側に移動するので、該側端部４２Ｌの嵌合凹部４３Ｌが嵌合部材６Ｌの嵌合突起６１Ｌから外れる。
そして、この状態で整流体４の側端部４２Ｌ側を上方に引き上げると共に、左側へ移動させて、前記右側端部４２Ｒの嵌合凹部４３Ｒを嵌合突起６１Ｒから外すことにより、整流体４をヘルメットＡから取外すことができる。
整流体４が取外されると、前記支承部７２Ｒが前記変形から嵌合用付勢手段の付勢力により元の形状に復帰する。
整流体４をヘルメットＡに取り付ける際には、前記の取外し動作の逆動作をすれば取り付けることができる。
【００２８】
尚、本形態では、前記支持体５Ｌ，５Ｒを、前記通気カバー３Ｌ，３Ｒ内に内蔵した形態で例示したが、本発明では、この形態に限るものではなく、通気カバーの外側に設けた形態も含まれる（図示せず）。
【００２９】
以下、本形態のヘルメットＡの整流体４の対面角度調節動作を説明する。
前記整流体４の対面角度保持状態では、前記スライド用付勢手段１０Ｌ，１０Ｒが前記嵌合部材６Ｌ，６Ｒを後方の位置に保持すると共に、前記ラチェット機構９Ｌ，９Ｒの凸部９１Ｌ，９１Ｒと凹部９２Ｌ，９２Ｒとの係合状態を保持している。
そして、この対面角度保持状態から整流体４に対して前方へ回動させる方向の力を加えると、前記スライド用付勢手段１０Ｌ，１０Ｒの付勢力により、ラチェット機構９Ｌ，９Ｒの凸部９１Ｌ，９１Ｒが凹部９２Ｌ，９２Ｒに対して係脱し、前記嵌合部材６Ｌ，６Ｒが前後スライドしながら上方へ回動すると共に、この嵌合部材６Ｌ，６Ｒの回動に伴って整流体４が前方に回動する。
この整流体４の前方回動では、前記嵌合部材６Ｌ，６Ｒに対して前記スライド用付勢手段１０Ｌ，１０Ｒの付勢力が作用しているので、整流体４に対する上方へ回動させる力を解除すれば、前記ラチェット機構９Ｌ，９Ｒの凸部９１Ｌ，９１Ｒが凹部９２Ｌ，９２Ｒに対する係合状態に必ず復帰して、整流体４の対面角度が保持される。
【００３０】
又、前記整流体４の対面角度保持状態から、該整流体４を前方にスライドするように力を加えると、そのスライドに伴って、前記嵌合部材６Ｌ，６Ｒが前記スライド用付勢手段１０Ｌ，１０Ｒの付勢力に抗して前方へスライドし、前記ラチェット機構９Ｌ，９Ｒの凸部９１Ｌ，９１Ｒの凹部９２Ｌ，９２Ｒに対する係合が解除されるため、整流体４を前方へスライドさせた状態で後方へ回動させることができる。
そして、整流体４を目的の位置まで回動させた状態で、該整流体４に対するスライド方向の力を解除すれば、前記スライド用付勢手段１０Ｌ，１０Ｒの付勢力により、前記嵌合部材６Ｌ，６Ｒが後方へスライドすると共に、前記ラチェット機構９Ｌ，９Ｒの凸部９１Ｌ，９１Ｒが凹部９２Ｌ，９２Ｒに対する係合状態に必ず復帰して、整流体４の対面角度が保持される。
【００３１】
本形態の整流体４の対面角度調節構造によれば、整流体４の対面角度を任意に調節でき、しかも、走行時における整流体４の後方への回動は、前記ラチェット機構９Ｌ，９Ｒの凸部９１Ｌ，９１Ｒと凹部９２Ｌ，９２Ｒとの係合により阻止されているため、走行風が整流体４に対して後方へ回動させる力として作用しても、整流体４の角度が変わることがなく、設定した対面角度を確実に保持することができる。
更に、整流体４の後方への回動は、前記したような整流体４に対する人為的な操作によるものでのみ可能であり、前記ラチェット機構９Ｌ，９Ｒの凸部９１Ｌ，９１Ｒと凹部９２Ｌ，９２Ｒとの係合状態において、整流体４に対して後方へ回動させる人為的な力を加えても整流体４は回動しないので、例えば、ヘルメットＡの着用者が誤って、整流体４に対して後方へ回動させる人為的な力を加えたとしても、整流体４の角度が変わることがなく、設定した対面角度を確実に保持することができる。
又、前記したように、整流体４のみを着脱することができるため、該整流体４の交換作業の容易性の向上という点において効果的である。
又、支持体５Ｌ，５Ｒを通気カバー３Ｌ，３Ｒ内に内蔵したことにより、整流体４の対面角度調節構造を構成する各構成要素がヘルメットＡの外側から見えないようにできるため、ヘルメットＡの良好なデザイン性を確保するという点において効果的である。
【００３２】
尚、本発明は、例示した実施の形態に限定するものでは無く、特許請求の範囲に記載された内容から逸脱しない範囲の構成による実施が可能である。
【図面の簡単な説明】
【００３３】
【図１】本発明に係るヘルメットの斜視図。
【図２】図１の拡大平面図。
【図３】要部拡大図で一部切欠して示す。
【図４】図３の(４)-(４)線断面図。
【図５】図３の（５）−（５）線断面図。
【符号の説明】
【００３４】
Ａ：ヘルメット
１：帽体
２Ｌ：排気孔
２Ｒ：排気孔
２Ｌ'：排気孔
２Ｒ'：排気孔
３Ｌ：通気カバー
３Ｒ：通気カバー
３０Ｌ：側端部
３０Ｒ：側端部
３１Ｌ：貫通口
３１Ｒ：貫通口
４：整流体
４１：整流面
４２Ｌ：側端部
４２Ｒ：側端部
４３Ｌ：嵌合凹部
４３Ｒ：嵌合凹部
５Ｌ：支持体
５Ｒ：支持体
６Ｌ：嵌合部材
６Ｒ：嵌合部材
６１Ｌ：嵌合突起
６１Ｒ：嵌合突起
７Ｌ：支承部材
７Ｒ：支承部材
８１Ｌ：回動支持凸部
８１Ｒ：回動支持凸部
８３Ｌ：回動支持凹部
８３Ｒ：回動支持凹部
９Ｌ：ラチェット機構
９Ｒ：ラチェット機構
９１Ｌ：凸部
９１Ｒ：凸部
９２Ｌ：凹部
９２Ｒ：凹部
１０Ｌ：スライド用付勢手段
１０Ｒ：スライド用付勢手段
Ｓ１：スペース
Ｓ２：スペース
【図１】
0004533922.tif 000002
【図２】
0004533922.tif 000003
【図３】
0004533922.tif 000004
【図４】
0004533922.tif 000005
【図５】
0004533922.tif 000006